(57)【要約】【課題】  建物の外壁入隅部を容易且つ安価に施工できる入隅用部材及び外壁入隅構造を提供する。【解決手段】  本入隅用部材１は、建物の外壁入隅部を形成する２つの直交する下地材面２０ｃ、２０ｄの内の一方の下地材面２０ｃに固定される第１固定片１０と、第１固定片１０の入隅側の端部から前記２つの直交する下地材面２０ｃ、２０ｄの内の他方の下地材面２０ｄと所定間隔をあけて平行に延設された第１受止片１１と、第１受止片１１の他端部から第１固定片１０と反対方向に延設された第２受止片１２と、第２受止片１２の他端部から入隅と反対方向に延設されて下地材面２０ｄに固定される第２固定片１３と、を備えるものである。【選択図】      図２
2007085062.tif 000002
【特許請求の範囲】
【請求項１】
建物の外壁入隅部を形成する２つの直交する下地材面の内の一方の下地材面に固定される第１固定片と、
該第１固定片の入隅側の端部から前記２つの直交する下地材面の内の他方の下地材面と所定間隔をあけて平行に延設された第１受止片と、
該第１受止片の他端部から前記第１固定片と反対方向に延設された第２受止片と、
該第２受止片の他端部から入隅と反対方向に延設されて前記２つの直交する下地材面の内の他方の下地材面に固定される第２固定片と、
を備えることを特徴とする入隅用部材。
【請求項２】
前記第１受止片の屋外側面に所定長さを有する非接着材を設けたことを特徴とする請求項１記載の入隅用部材。
【請求項３】
２つの直交する下地材面を有する建物の外壁入隅構造において、
請求項１記載の入隅用部材の第１固定片と第２固定片とが前記２つの直交する下地材面の一方の下地材面と他方の下地材面とにそれぞれ固定され、
外壁入隅部の屋外側壁面を形成する第１外装板材の端面が前記入隅用部材の第１受止片と対向し、
前記外壁入隅部のもう一方の屋外側壁面を形成する第２外装板材の端面が前記入隅用部材の第２受止片と対向し、
前記第１外装板材の屋外側面、前記第２外装板材の端面、及び前記入隅用部材の第１受止片の屋外側面に設けられた非接着材によって凹状に囲われた部分にシーリング材が充填されていることを特徴とする外壁入隅構造。
【発明の詳細な説明】
【技術分野】
【０００１】
本発明は、建物の外壁入隅部を容易且つ安価に施工できる入隅用部材及び外壁入隅構造に関する。
【背景技術】
【０００２】
建物の平面形状がＬ型や凹型等の形状をして矩形でない場合、外壁に入隅部（以下、「外壁入隅部」という。）が生じる。この外壁入隅部をサイディングボード等の外壁板材を用いて形成する場合、外壁入隅部は、図５に示すように、長尺の鋼板を略Ｌ字状に折り曲げ加工した入隅用部材７０に、長尺の鋼板を一端に凸状部７１ａを有する断面柄杓形状に折り曲げ加工したバックアップ部材７１を一部被せるように用いて、外壁を形成する外壁板材７２の突合せ部分に間隔を設け、この間隔の間にシーリング材７３を充填して納めるのが一般的である。また、図６に示すように、バックアップ部材７１の代わりに、樹脂製のバックアップ材７４を用いることもある。これらの納まりでは、シーリング材７３が高価であるために、これを節約することを目的として、目地底部分を凸状部７１ａや安価な樹脂製のバックアップ部材７４を用いているのである。しかし、これらの納まりでは、バックアップ部材７１やバックアップ材７４を取り付ける作業が必要であり、施工に手間がかかっていた。また、図５に示す場合には、２つの金属製部材が必要となり、高価となっていた。
【０００３】
そこで、略Ｌ字状に形成された金属板の入隅部に緩衝材を取り付けた入隅用部材及び該入隅用部材を用いた外壁入隅構造がある（例えば、特許文献１参照）。この入隅用部材及び該入隅用部材を用いた外壁入隅構造によれば、前記バックアップ部材や樹脂製のバックアップ材を取り付ける作業が不要であり、手間を省くことができる。
【特許文献１】特開２００５−７６３５０号公報
【発明の開示】
【発明が解決しようとする課題】
【０００４】
しかしながら、特許文献１の入隅用部材では、緩衝材を金属板に取り付ける必要があるため、入隅用部材の製作コストがかかり、したがって、外壁入隅部を施工するのに割高となっていた。
【０００５】
そこで、本発明は、建物の外壁入隅部を容易且つ安価に施工できる入隅用部材及び外壁入隅構造を提供することを目的とする。
【課題を解決するための手段】
【０００６】
上記目的を達成するために、請求項１記載の入隅用部材は、建物の外壁入隅部を形成する２つの直交する下地材面の内の一方の下地材面に固定される第１固定片と、該第１固定片の入隅側の端部から前記２つの直交する下地材面の内の他方の下地材面と所定間隔をあけて平行に延設された第１受止片と、該第１受止片の他端部から前記第１固定片と反対方向に延設された第２受止片と、該第２受止片の他端部から入隅と反対方向に延設されて前記２つの直交する下地材面の内の他方の下地材面に固定される第２固定片と、を備えることを特徴としている。
【０００７】
請求項２記載の入隅用部材は、請求項１記載の入隅用部材において、前記第２受止片の屋外側面に所定長さを有する非接着材を設けたことを特徴としている。
【０００８】
請求項３記載の外壁入隅構造は、２つの直交する下地材面を有する建物の外壁入隅構造において、請求項１記載の入隅用部材の第１固定片と第２固定片とが前記２つの直交する下地材面の一方の下地材面と他方の下地材面とにそれぞれ固定され、外壁入隅部の屋外側壁面を形成する第１外装板材の端面が前記入隅用部材の第１受止片と対向し、前記外壁入隅部のもう一方の屋外側壁面を形成する第２外装板材の端面が前記入隅用部材の第２受止片と対向し、前記第１外装板材の屋外側面、前記第２外装板材の端面、及び前記入隅用部材の第１受止片の屋外側面に設けられた非接着材によって凹状に囲われた部分にシーリング材が充填されていることを特徴としている。
【発明の効果】
【０００９】
本発明の請求項１の入隅用部材によれば、建物の外壁入隅部を形成する２つの直交する下地材面の内の一方の下地材面に固定される第１固定片と、該第１固定片の入隅側の端部から前記２つの直交する下地材面の内の他方の下地材面と所定間隔をあけて平行に延設された第１受止片と、該第１受止片の他端部から前記第１固定片と反対方向に延設された第２受止片と、該第２受止片の他端部から入隅と反対方向に延設されて前記２つの直交する下地材面の内の他方の下地材面に固定される第２固定片と、を備えるため、単一の部材により入隅用部材を作製できて入隅用部材の作製コストを抑えることができる。また、入隅用部材は、単一の部材であるため、施工が容易である。したがって、該入隅用部材を用いて建物の外壁入隅部を容易且つ安価に施工できる。
【００１０】
請求項２の入隅用部材によれば、請求項１記載の入隅用部材の効果に加えて、第１受止片の屋外側面に所定長さを有する非接着材を設けたため、シーリング材が第１受止片に接着するのを防止でき、地震時等における外壁の目地部の挙動に追従しやすくして漏水を防止できる。
【００１１】
請求項３の外壁入隅構造によれば、２つの直交する下地材面を有する建物の外壁入隅構造において、請求項１記載の入隅用部材の第１固定片と第２固定片とが前記２つの直交する下地材面の一方の下地材面と他方の下地材面とにそれぞれ固定され、外壁入隅部の屋外側壁面を形成する第１外装板材の端面が前記入隅用部材の第１受止片と対向し、前記外壁入隅部のもう一方の屋外側壁面を形成する第２外装板材の端面が前記入隅用部材の第２受止片と対向し、前記第１外装板材の屋外側面、前記第２外装板材の端面、及び前記入隅用部材の第１受止片の屋外側面に設けられた非接着材によって凹状に囲われた部分にシーリング材が充填されているため、単一の部材による入隅用部材を用いて建物の外壁入隅部を容易且つ安価に施工でき、コストダウンを図ることができる。
【発明を実施するための最良の形態】
【００１２】
以下、本発明の実施の形態に係る入隅用部材及び外壁入隅構造について図面に基づいて説明する。
図１は、本発明の実施の形態に係る入隅用部材１を用いた外壁入隅構造２の概略構成を示す平面図であり、図２は、図１のＸ部の拡大図である。入隅用部材１は、図示するように、耐候性を有する長尺な１枚の板材を折り曲げ加工又は押し出し加工して作製されたものであり、第１固定片１０、第１受止片１１、第２受止片１２、及び第２固定片１３の４片を主体に構成される。この板材としては、鋼板や、硬質な樹脂製板材などを用いることができる。また、外壁入隅構造２では、建物の入隅部における主要構造部である柱３に添え木４ａ、４ｂが固定され、該添え木４ａ、４ｂに縦胴縁２０ａ、２０ｂが直交するようにそれぞれ固定されており、これら縦胴縁２０ａ、２０ｂにより建物の外壁入隅部を形成する２つの下地材面２０ｃ、２０ｄがそれぞれ形成されている。以下、詳細に説明する。
【００１３】
第１固定片１０は、図２に示すように、建物の外壁入隅部を形成する２つの下地材面２０ｃ、２０ｄの内の一方の下地材面２０ｃを形成する縦胴縁２０ａに固定されるものであり、入隅と反対側の端部が折り返されて、折り返し部１４が設けてある。この折り返し部１４により入隅用部材１の運搬や作業時に作業員が第１固定片１０の端部により負傷することを防止するとともに、強度補強をしている。
【００１４】
第１受止片１１は、第１固定片１０の入隅側の端部から前記２つの直交する下地材面２０ｃ、２０ｄの内の他方の下地材面２０ｄと所定間隔をあけて平行に延設されている。そして、この第１受止片１１は、外壁入隅部の一方の屋外側壁面を形成するサイディングボード等からなる第１外装板材２１の端面２１ａと対向するものである。また、外壁入隅部の他方の屋外側壁面を形成する第２外装板材２２と前記第１外装板材２１との目地部に充填されるシーリング材２３を受止するものである。この第１受止片１１の屋外側面１１ａには、非接着材である表面保護テープ２４が貼設されている。この表面保護テープ２４は、所定長さを有するとともに、表面がポリ塩化ビニルフィルムやポリエチレン系フィルム等のシーリング材２３が接着しない素材により形成されている。なお、この表面保護テープ２４は、第１受止片１１の屋外側面１１ａの全面に貼設される必要はなく、充填されるシーリング材２３と接触する部分に貼設されていればよく、すなわち、シーリング材２３が入隅用部材１に接着しないように貼設されていればよい。
【００１５】
第２受止片１２は、第１受止片１１の他端部から第１固定片１０と反対方向に延設されており、外壁入隅部のもう一方の屋外側壁面を形成する第２外装板材２２の端面２２ａと対向するものであり、下地材面２０ｃと所定間隔をあけて平行に延設されている。
【００１６】
第２固定片１３は、第２受止片１２の他端部から入隅と反対方向に延設されて前記２つの直交する下地材面２０ｃ、２０ｄの内の他方の下地材面２０ｄを有する縦胴縁２０ｂに固定されるものであり、第１固定片１０と同様に、入隅と反対側の端部が折り返されて、折り返し部１５が設けてある。
【００１７】
次に、以上の構成の入隅用部材１を用いて形成される外壁入隅構造２について詳細に説明する。まず、第１の実施形態として、第１外装板材２１及び第２外装板材２２の厚さが例えば１２ｍｍ程度の場合について説明する。
この第１の実施形態の外壁入隅構造２は、図１に示すように、建物の入隅部の構造体である柱３に添え木４ａ、４ｂが固定され、該添え木４ａ、４ｂに縦胴縁２０ａ、２０ｂが直交するようにそれぞれ固定されるとともに、添え木４ａ、４ｂと縦胴縁２０ａ、２０ｂの間には透湿防水シート５が設けられている。また、図１及び図２に示すように、縦胴縁２０ａに入隅用部材１の第１固定片１０が固定され、縦胴縁２０ｂに第２固定片１３が固定されている。また、第１外装板材２１がその入隅側の端面２１ａが入隅用部材１の第１受止片１１と対向するようにして、第１固定片１０の屋外側に固定されており、第２外装板材２２がその入隅側の端面２２ａが入隅用部材１の第２受止片１２と対向するようにして、第２固定片１３の屋外側に固定されている。また、シーリング材２３が第１外装板材２１の屋外側面２１ｂ、第２外装板材２２の端面２２ａ、及び入隅用部材１の第１受止片１１の屋外側面１１ａに貼設された表面保護テープ２４によって凹状に囲われた部分に充填されている。なお、この第１外装板材２１の屋外側面２１ｂと第２外装板材２２の端面２２ａにより形成されるシーリング材２３の目地幅は、例えば１０ｍｍ程度である。
【００１８】
次いで、第２の実施形態の外壁入隅構造２として、図３及び図４に示すように、第１外装板材２１及び第２外装板材２２の厚さが例えば１７ｍｍ程度である場合について説明する。
この第２の実施形態の外壁入隅構造２は、留め具６を縦胴縁２０ａ、２０ｂに固定するとともに、該留め具６により第１外装板材２１及び第２外装板材２２を固定している。この場合、第１受止片１１及び第２受止片１２の長さは、図３に示すように、第１外装板材２１及びシーリング材２３の厚みや第２外装板材２２の厚みに加えて留め具６の厚みを包含できる長さを有している。なお、その他の構成部材は、第１の実施形態の外壁入隅構造２と同じであるので、同符号を付して説明を省略する。
【００１９】
以上の説明より明らかなように、本発明の実施の形態に係る入隅用部材１によれば、１枚の長尺な鋼板を折り曲げ加工することにより入隅用部材１が形成されているため、入隅用部材１の作製コストを抑えることができる。また、入隅用部材１は、１枚の長尺な鋼板を折り曲げ加工したものであるため、施工が容易である。したがって、建物の外壁入隅部を容易且つ安価に施工できる。また、第１受止片１１の屋外側面１１ａに所定長さを有する表面保護テープ２４を設けたため、シーリング材２３が第１受止片１１に接着するのを防止でき、地震時等における外壁の目地部の挙動に追従しやすくして漏水を防止できる。また、本発明の実施の形態に係る外壁入隅構造２によれば、１枚の長尺な鋼板を折り曲げ加工した入隅用部材１を用いているため、建物の外壁入隅部を容易且つ安価に施工でき、コストダウンを図ることができる。
【００２０】
なお、本発明は上記実施形態に限定されるものではなく、本発明の要旨の範囲内で種々の変形実施が可能である。例えば、本実施の形態では、柱３に固定された添え木４ａ、４ｂに縦胴縁２０ａ、２０ｂをそれぞれ固定したが、縦胴縁２０ａを略Ｌ字状の金具を介して柱３に固定してもよい。また、入隅用部材１の下地材として縦胴縁２０ａ、２０ｂの２つの部材を用いたが、２つの直交する下地材面２０ｃ、２０ｄを有する略Ｌ字状に形成された１つの下地材を用いてもよい。また、外壁入隅構造２の左右を問われるものではない。
【産業上の利用可能性】
【００２１】
本発明は、建物の外壁入隅部をサイディングボード等の外壁板材を用いて形成する場合に利用可能である。
【図面の簡単な説明】
【００２２】
【図１】本発明の実施の形態に係る入隅用部材を用いた第１の実施形態に係る外壁入隅構造の概略構成を示す平面図である。
【図２】図１のＸ部の拡大図である。
【図３】本発明の第２の実施形態に係る外壁入隅構造の概略構成を示す平面図である。
【図４】本発明の第２の実施形態に係る外壁入隅構造の概略構成を示す斜視図である。
【図５】従来の外壁入隅構造の一例を示す平面図である。
【図６】従来の外壁入隅構造の一例を示す平面図である。
【符号の説明】
【００２３】
１    入隅用部材
１０    第１固定片
１１    第１受止片
１１ａ    屋外側面
１２    第２受止片
１３    第２固定片
２    外壁入隅構造
２０ｃ、２０ｄ    下地材面
２１    第１外装板材
２１ａ    端面
２１ｂ    屋外側面
２２    第２外装板材
２２ａ    端面
２３    シーリング材
２４    表面保護テープ（非接着材）
【図１】
2007085062.tif 000003
【図２】
2007085062.tif 000004
【図３】
2007085062.tif 000005
【図４】
2007085062.tif 000006
【図５】
2007085062.tif 000007
【図６】
2007085062.tif 000008